(57)【特許請求の範囲】
【請求項１】
外筐内に斜め横又は横姿勢で支持された有底円筒形の洗濯槽と、該洗濯槽の内部で同軸的に回転する有底円筒形の回転ドラムと、前記洗濯槽及び回転ドラムの開口部に面して前記外筐に形成された洗濯物の投入口を開閉可能に覆う前扉とを備える洗濯機において、
前記前扉は、底板と該底板の周囲に連続する側壁とを有し、前記投入口の閉止時に前記回転ドラム内に張り出す有底筒状の扉本体を備えており、
該扉本体は、前記回転ドラムの内部に向けて突設され、洗濯運転中に回転ドラム内で回転する洗濯物に当たり、該洗濯物に摩擦抵抗を加える突起を備え、該突起は、前記開口部を経て前記回転ドラムの内部に対向する前記底板のみに分散配置されていることを特徴とする洗濯機。    
【請求項２】
前記突起は、頂部が面取りされた断面を有することを特徴とする請求項１に記載の洗濯機。
【請求項３】
前記突起は、前記一面内で中央部を下として湾曲する円弧状の突条であることを特徴とする請求項１又は請求項２に記載の洗濯機。
【請求項４】
前記突条は、中央部を所定幅に亘って切除し、左右両側に振り分け配置してあることを特徴とする請求項３に記載の洗濯機。
【請求項５】
前記突起は、前記一面内で中央部を上として湾曲する円弧状の突条であることを特徴とする請求項１又は請求項２に記載の洗濯機。
【請求項６】
前記突起は、波形の屈曲形状を有し、前記一面内で上下に傾斜した方向に延びる突条であることを特徴とする請求項１又は請求項２に記載の洗濯機。
【請求項７】
前記突起は、半球状、円錐台状又は円柱状であることを特徴とする請求項１に記載の洗濯機。
【発明の詳細な説明】
【技術分野】
【０００１】
本発明は、外筐内に支持された洗濯槽の内部に回転ドラムを備えるドラム式の洗濯機に関する。
【背景技術】
【０００２】
近年広く普及しているドラム式の洗濯機は、有底円筒形の洗濯槽を、斜め横姿勢又は横姿勢で外筐の内部に支持し、該洗濯槽の内部に有底円筒形の回転ドラムを同軸上での回転自在に支持して構成されている。洗濯槽及び回転ドラムの開口部は、外筐の前面に開設された洗濯物の投入口に対向しており、該投入口は、外筐に取り付けた扉により開閉可能に覆ってある（例えば、特許文献１参照）。
【０００３】
前記扉は、閉止時に投入口の周縁部に密着するリング状の外鍔と、該外鍔の内周に連設され、洗濯槽及び回転ドラムの内部に張り出す張り出し部とを有する耐熱ガラス製の扉本体と、該扉本体を外側から覆うように取り付けられた樹脂製の外装板とを備えてなる。
【０００４】
このようなドラム式の洗濯機による洗濯は、扉を開放し、投入口を経て回転ドラムの内部に洗濯物を投入した後、扉を閉止して洗濯槽の内部に適量の洗濯水を給水し、回転ドラムを回転させることにより実施される。回転ドラム内の洗濯物は、洗濯槽及び回転ドラムの底部に溜まる洗濯水中に浸され、回転ドラムの回転による持ち上げ及び落下を繰り返し、落下時に回転ドラムの内面にたたきつけられることで洗濯される。
【先行技術文献】
【特許文献】
【０００５】
【特許文献１】特開２００８−９３２４５号公報
【発明の概要】
【発明が解決しようとする課題】
【０００６】
以上の如きドラム式の洗濯機は、縦置きされた洗濯槽内で洗濯水と共に洗濯物を撹拌して洗濯するように構成された縦形洗濯機と比較した場合、洗濯水及び洗剤の使用量が少ないという利点を有する反面、洗濯物の汚れ落ちが悪いという欠点を有している。
【０００７】
この欠点を解消するため、多くのドラム式の洗濯機は、洗濯槽内の洗濯水を加圧して回転ドラム内に循環させる循環ポンプを備えている。この洗濯機においては、循環ポンプによる循環水が回転ドラム内にシャワー状に振り注ぎ、回転ドラム内の洗濯物と洗濯水との接触機会が増すことから、洗濯物の汚れ落ちの改善に有効であるが、ドラム式の洗濯機においては、更なる汚れ落ちの改善が求められている。
【０００８】
本発明は斯かる事情に鑑みてなされたものであり、洗濯物の投入口を開閉する扉の簡易な改良により、洗濯物の汚れ落ちを改善することが可能なドラム式の洗濯機を提供することを目的とする。
【課題を解決するための手段】
【００１１】
本発明に係る洗濯機は、外筐内に斜め横又は横姿勢で支持された有底円筒形の洗濯槽と、該洗濯槽の内部で同軸的に回転する有底円筒形の回転ドラムと、前記洗濯槽及び回転ドラムの開口部に面して前記外筐に形成された洗濯物の投入口を開閉可能に覆う前扉とを備える洗濯機において、前記前扉は、底板と該底板の周囲に連続する側壁とを有し、前記投入口の閉止時に前記回転ドラム内に張り出す有底筒状の扉本体を備えており、該扉本体は、前記回転ドラムの内部に向けて突設され、洗濯運転中に回転ドラム内で回転する洗濯物に当たり、該洗濯物に摩擦抵抗を加える突起を備え、該突起は、前記開口部を経て前記回転ドラムの内部に対向する前記底板のみに分散配置されていることを特徴とする。
【００１２】
本発明においては、投入口を閉止する前扉が回転ドラム内に張り出す有底筒状の扉本体を備え、該扉本体が回転ドラム内に対向する底板にのみ分散配置された突起を備えている。洗濯運転中に回転ドラム内で持ち上げられて落下する洗濯物は、扉本体の底板に当たり、該一面に設けた突起に摺接し、該突起による摩擦抵抗が加わる。突起の形成面は、洗濯板としての作用をなし、洗濯物の汚れは、突起との摩擦接触により洗濯水と共に絞り出され、汚れ落ちが促進されて、洗浄効果を高めることが可能となる。
【００１３】
また本発明に係る洗濯機は、前記突起が、頂部が面取りされた断面を有することを特徴とする。
【００１４】
この発明においては、突起の頂部を面取りすることにより、落下する洗濯物の引っ掛かりを防止し、突起との接触による洗濯物の損傷を防止する。
【００１５】
また本発明に係る洗濯機は、前記突起が、前記一面内で中央部を下として湾曲する円弧状の突条であることを特徴とする。
【００１６】
この発明においては、洗濯物との接触が突条の全長に亘って生じ、接触摩擦による汚れ落ちの促進効果を高めることができる。
【００１７】
また本発明に係る洗濯機は、前記突条が、中央部を所定幅に亘って切除し、左右両側に振り分け配置してあることを特徴とする。
【００１８】
この発明においては、洗濯物の接触により突条に付着する洗濯水を、下位置となる中央部に集め、切除部から流下させて回転ドラム内に戻し、前扉の開放時に突条に付着した洗濯水が外部に漏れ出すことを防止する。
【００１９】
また本発明に係る洗濯機は、前記突起が、前記一面内で中央部を上として湾曲する円弧状の突条であることを特徴とする。
【００２０】
この発明においては、回転ドラム内で落下する洗濯物が、突条に対し略直角をなすように接触し、接触摩擦による汚れ落ちの促進効果を高めることができる。
【００２１】
また本発明に係る洗濯機は、前記突起が、波形の屈曲形状を有し、前記一面内で上下に傾斜した方向に延びる突条であることを特徴とする。
【００２２】
この発明においては、波形の屈曲形状を有する突条が設けてあり、該突条と回転ドラム内で落下する洗濯物との接触摩擦が増大し、汚れ落ちの促進効果を高めることができる。
【００２３】
また本発明に係る洗濯機は、前記突起が、半球状、円錐台状又は円柱状であることを特徴とする。
【００２４】
この発明においては、回転ドラムの内部に対向する扉本体の底板の一面に、半球状、円錐台状又は円柱状をなす多数の突起が分散配置してあり、これらの突起と回転ドラム内で落下する洗濯物との接触機会が増加して、汚れ落ちの促進効果を高める。
【発明の効果】
【００２５】
本発明に係る洗濯機においては、前扉が備える有底筒状をなす扉本体の底板の一面に分散配置した突起が、回転ドラム内で持ち上げられて落下する洗濯物に接触し、該洗濯物に摩擦抵抗を加えて洗濯水と共に汚れを絞り出すように作用するから、洗濯物の汚れ落ちを促進し、仕上がり品質の向上、及び洗濯時間の短縮に寄与することが可能となる等、本発明は優れた効果を奏する。
【図面の簡単な説明】
【００２６】
【図１】実施の形態に係る洗濯機の外観斜視図である。
【図２】実施の形態に係る洗濯機の内部構成を略示する縦断面図である。
【図３】前扉の外観斜視図である。
【図４】前扉の平面図である。
【図５】図４のＶーＶ線による前扉の断面図である。
【図６】突起の他の構成例を示す説明図である。
【図７】突起の他の構成例を示す説明図である。
【図８】突起の他の構成例を示す説明図である。
【図９】突起の他の構成例を示す説明図である。
【図１０】前扉に設ける抵抗付加部の他の構成例を示す説明図である。
【図１１】前扉に設ける抵抗付加部の他の構成例を示す説明図である。
【発明を実施するための形態】
【００２７】
以下本発明をその実施の形態を示す図面に基づいて詳述する。図１は、実施の形態に係る洗濯機の外観斜視図、図２は、実施の形態に係る洗濯機の内部構成を略示する縦断面図である。
【００２８】
図２に示すように実施の形態の洗濯機は、外装を構成する外筐１の内部に、洗濯槽２及び回転ドラム３を備えている。洗濯槽２は、一側の略全面に開口部２０を有する大径の有底円筒体であり、外筐１の底面に立設された複数本の支持脚２２（１本のみ図示）により下部を支え、外筐１の天面との間に架設された支持ばね（図示を省略する）により上部を吊支して、図示のように、開口部２０を上に向けて軸心を傾けた斜め横姿勢にて弾性支持されている。
【００２９】
回転ドラム３は、洗濯槽２よりもやや小径の有底円筒体である。洗濯槽２の底板には、中央部の外側にドラムモータ４が固設してあり、回転ドラム３は、洗濯槽２の内側に突出するドラムモータ４の出力軸４０に底部を同軸的に連結し、一側の開口部３０を洗濯槽２の開口部２０の内側に臨ませて支持されている。このように支持された回転ドラム３は、ドラムモータ４の駆動により、洗濯槽２の内部において同軸上にて回転する。
【００３０】
回転ドラム３には、周壁を貫通する小径の通水孔３２，３２…が全面に亘って多数形成されている。また回転ドラム３の周壁内面には、軸長方向に延びるバッフル３３が、周方向に等配をなして複数突設されている。なお図２中には、多数の通水孔３２，３２…のうちの一部と、上下に位置する２つのバッフル３３，３３とを図示している。
【００３１】
外筐１の前面（図２の左側面）には、洗濯物の投入口１０が形成してある。該投入口１０は、洗濯槽２の開口部２０及び回転ドラム３の開口部３０に臨む位置に開設された円形断面の開口であり、該投入口１０と洗濯槽２の開口部２０との間は、ゴム等の弾性材料製のベローズ１３により液密に封止されている。
【００３２】
以上のように設けられた投入口１０は、図１に示す如く、外筐１の前面に取付けられ、後述の如く構成された円形の前扉５により開閉可能としてある。前扉５の近傍には、外筐１の前面から操作可能なドア開ボタン１４が設けてあり、前扉５は、ドア開ボタン１４の操作により、横位置に設けた縦方向のヒンジ（図示を省略する）を中心として開放され、また前扉５は、使用者の手動により閉操作して投入口１０に合わせ、前記ヒンジの逆位置を外側から押すことにより、図１、図２に示すように、投入口１０を塞ぐように閉止される。
【００３３】
図３は、前扉５の外観斜視図、図４は、前扉５の平面図、図５は、図４のＶーＶ線による前扉５の断面図である。図２及び図５に示すように、前扉５は、リング状の外鍔５１に縁取られた耐熱ガラス製の扉本体５０を備えている。外鍔５１の外周には、シール環５２が巻装されている。該シール環５２は、図２に示すように、前扉５が閉止されたとき投入口１０の周縁部に密着し、該投入口１０の内外を液密に封止する作用をなす。
【００３４】
扉本体５０は、図２に示す閉止状態において、投入口１０を経て洗濯槽２及び回転ドラム３内に張り出す有底薄肉の筒体であり、張り出し方向に縮径された側壁により、中心よりも下位置に偏倚した底板５０ａに連続する形状を有している。前扉５は、以上の如き扉本体５０の開口部をシール環５２の外側に嵌め込み固定した樹脂製の外装板５３により覆って構成されている。図２に示すように、閉止状態にある扉本体５０の周壁には、前記ベローズ１３の内面に周設された封止リップ１３ａが弾接しており、前記シール環５２との相乗作用により、洗濯槽２内の液密を保つように構成されている。
【００３５】
このように構成された前扉５は、扉本体５０の底板５０ａの外面に複数の突起（抵抗付加部）５４を備えている。図３、図４に示すように突起５４は、底板５０ａの外縁に沿って延び、左右方向の中央部が下となるように湾曲する円弧形の突条として形成してあり、中央部を所定幅に亘って切除し、左右両側に振り分け、夫々の側で上下方向に各３つ並設されている。夫々の突起５４は、図２及び図５に示すように、頂部が面取りされた三角形断面を有している。
【００３６】
扉本体５０の底板５０ａの外面は、図２に示す如く前扉５が閉止されたとき、洗濯槽２及び回転ドラム３の内部に対向し、底板５０ａに設けられた突起５４は、洗濯槽２及び回転ドラム３の内部に向けて突出する状態となる。
【００３７】
図１に示すように、外筐１前面の上部には、各種の操作のための操作キー及び各種の表示のための表示部を備える操作パネル１５が設けてある。操作パネル１５は、外筐１の内部に設けた運転制御部１６に接続してある。運転制御部１６は、ＣＰＵ、ＲＯＭ及びＲＡＭを備えるコンピュータであり、後述する洗い運転、すすぎ運転及び脱水運転は、操作パネル１５の操作に応じた運転制御部１６の動作により、相互に関連した一連の運転、又は個々に独立した運転として実行される。
【００３８】
また洗濯機は、給水源からの給水を洗濯槽２の内部に送り込む給水路と、洗濯槽２の内部の貯留水を循環させる循環水路と、洗濯槽２の内部の貯留水を機外に排出する排水路とを備えている。
【００３９】
給水路は、給水管６０、給水弁６１及び接続管６２を備えている。図２に示すように給水管６０は、外筐１の内部に洗濯槽２の外側上部に沿って設けてあり、その一端は、洗濯槽２の内部に連通し、他端は、給水弁６１の出側に接続されている。図１、図２に示すように接続管６２は、外筐１の後部上面に突出するように設けてあり、外筐１の内側において給水弁６１の入側に接続してある。接続管６２は、外筐１の外部への突出部に接続した耐圧ホースを介して給水源（水道）に接続される。
【００４０】
給水弁６１は、常閉形の電磁弁であり、運転制御部１６から与えられる動作指令に応じて開となる。給水源からの給水は、給水弁６１が開となることにより、接続管６２、給水弁６１及び給水管６０を通って洗濯槽２の内部に給水される。この給水は、前述した通水孔３２，３２…を経て回転ドラム３の内部にも浸入し、図２に示すように、洗濯槽２及び回転ドラム３の底部に溜まる。
【００４１】
排水路は、排水管７０、フィルタ装置７１、排水弁７２及び排水ホース７３を備えている。排水管７０は、洗濯槽２の最下部に開設された排水口に接続されて下方に延び、フィルタ装置７１の入口に接続されている。図２中に円形のブロックにより略示するフィルタ装置７１は、繊維屑を捕捉するリントフィルタを筒形のフィルタケース内に収容保持してなる公知の構成を有している。フィルタ装置７１は、２つの出口を有しており、一方の出口は、排水弁７２を介して排水ホース７３に接続されている。排水ホース７３は、外筐１の底面に沿って敷設され、機外に延びている。
【００４２】
排水弁７２は、常閉形の電磁弁であり、運転制御部１６から与えられる動作指令に応じて開となる。洗濯槽２及び回転ドラム３内の貯留水は、排水弁７２が開となることにより、排水管７０、フィルタ装置７１及び排水ホース７３を通って機外に排水される。フィルタ装置７１は、排水中に含まれる繊維屑を捕捉、除去し、排水と共に繊維屑が機外に排出されることを防止する。
【００４３】
循環水路は、循環ポンプ８０、循環水ホース８１及び循環水ノズル８２を備えている。循環ポンプ８０は、前述したフィルタ装置７１の他方の出口に連結してある。循環水ホース８１は、循環ポンプ８０の吐出口に一端を接続し、洗濯槽２の前部を通って上方に延びている。循環水ノズル８２は、洗濯槽２の開口部２０の周縁に一体形成され、循環水ホース８１の他端に接続されており、洗濯槽２及び回転ドラム３の内部に向けて開口する噴射口を有している。
【００４４】
循環ポンプ８０は、洗い又はすすぎ運転中に運転制御部１６からの動作指令に応じて駆動される。この駆動により洗濯槽２内の貯留水は、排水管７０及びフィルタ装置７１を経て循環ポンプ８０に吸い込まれて加圧され、循環水ホース８１の内部を流れて循環水ノズル８２に達し、該循環水ノズル８２から回転ドラム３内に噴射され、該回転ドラム３内の洗濯物に降り注ぐ。循環水ノズル８２からの噴射水は、洗濯槽２内の貯留水と共に、排水管７０及びフィルタ装置７１を経て循環ポンプ８０に再度吸い込まれて循環する。フィルタ装置７１は、このような循環水中に含まれる繊維屑を捕捉、除去し、洗濯槽２及び回転ドラム３内に戻されることを防止する作用をなす。
【００４５】
以上の如く構成された洗濯機の洗い運転は、前扉５を開放して、投入口１０を経て回転ドラム３の内部に洗濯物を投入し、前扉５を閉止した後、給水弁６１を開とし、洗濯槽２の内部に洗濯水を給水し、ドラムモータ４を駆動して回転ドラム３を低速度にて反復回転させることにより実行される。洗濯水は、適量の洗剤が溶けた水である。洗剤は、洗濯物と共に回転ドラム３内に投入してもよく、また、公知のように給水管６０の途中に配した洗剤ケース内に投入し、給水管６０内を流れる給水中に溶かし出し、該給水と共に洗濯槽２内に供給されるようにしてもよい。
【００４６】
このようにして給水される洗濯水は、洗濯槽２及び回転ドラム３の内部に前述の如く溜まり、この状態で回転ドラム３が回転した場合、洗濯物は、回転ドラム３の内周面に突設されたバッフル３３の作用により持ち上げられて落下し、回転ドラム３の内周面に叩き付けられることで洗浄（叩き洗い）される。
【００４７】
循環ポンプ８０は、以上の洗い運転中に駆動され、洗濯槽２内の洗濯水を吸い込んで加圧し、循環水ホース８１を経て循環水ノズル８２に送り込む。循環水ノズル８２は、回転ドラム３内に洗濯水を噴射する。この噴射水は、回転ドラム３内の洗濯物に繰り返し降り注ぎ、該洗濯物と洗濯水との接触機会を増して洗浄効果を高める作用をなす。
【００４８】
このように実施される洗い運転において、回転ドラム３内で持ち上げられる洗濯物は、図２中に矢符により示すように、回転ドラム３の前部において落下する際、該回転ドラム３内に突出する扉本体５０に当たる。扉本体５０は、回転ドラム３内に対向する底板５０ａの外面に前述したように設けた複数の突起５４を備えており、落下する洗濯物には、これらの突起５４と摺接することで摩擦抵抗が加わる。
【００４９】
このとき突起５４が設けられた扉本体５０の底板５０ａは、所謂、洗濯板としての作用をなし、洗濯物の汚れは、突起５４との摩擦接触により洗濯水と共に絞り出される。回転ドラム３内の洗濯物は、回転ドラム３の回転による持ち上げ、落下の過程で突起５４に繰り返し接触し、夫々の接触機会での汚れの絞り出しが行われる結果、洗い運転における洗濯物の汚れ落ちは良好となり、前述した洗濯水の循環との相乗作用により洗浄効果を大幅に高め、洗い運転時間を短縮することが可能となる。
【００５０】
突起５４は、前述した如く、頂部が面取りされた三角形断面を有しており、突起５４に接触する洗濯物は、頂部に引っ掛かることなく滑り落ちる。従って、回転ドラム３内の洗濯物は、滞りなく突起５４に順次接触することができ、前述した汚れ落ち効果は良好に発揮され、また突起５４との接触により損傷する虞れもない。なお、突起５４の断面形状は、図２及び図５に示す三角形に限らず、矩形、台形、半円形等の適宜の形状とすることができ、矩形、台形等の角を有する断面形状とする場合には、夫々の角部を面取りにより丸めた形状とするのが望ましい。
【００５１】
突起５４には、夫々に接触する洗濯物から絞り出される洗濯水が付着するが、突起５４は、図３及び図４に示すように、上下方向の中心線の両側に振り分け配置され、底板５０ａの外縁に沿って延びる円弧形の突条として形成されていることから、各突起５４に付着した洗濯水は、夫々に沿って中央に集まるように流下し、振り分け部に面する端部から垂れ落ちて回転ドラム３内に戻される。従って、洗い運転の終了後に前扉５が開放された場合においても、突起５４に付着した洗濯水が外部に漏れ出し、周辺を汚す虞れはない。
【００５２】
洗濯機のすすぎ運転は、以上の洗い運転を終え、排水弁７２を開として洗濯槽２内の洗濯水を排水した後、まず、回転ドラム３を高速回転させる中間脱水を実施し、次いで、給水弁６１を開として洗剤を含まないすすぎ水を給水し、回転ドラム３を低速回転せしめて実施される。中間脱水は、回転ドラム３の高速回転時の遠心力の作用により、回転ドラム３内の洗濯物に含まれる洗剤成分を除去すべく行われる。中間脱水された洗濯物は、この後に給水される清浄なすすぎ水と接触して濡らされ、回転ドラム３内での持ち上げ及び落下を繰り返すことですすぎ洗いされる。なお、このすすぎ運転は、中間脱水を含めてすすぎ水を入れ換え、通常複数回繰り返される。
【００５３】
循環ポンプ８０は、すすぎ運転中にも駆動され、洗濯槽２内の貯留水を吸い込んで加圧し、循環水ホース８１を経て循環水ノズル８２に送り込む。循環水ノズル８２は、回転ドラム３内にすすぎ水を噴射する。この噴射水は、回転ドラム３内の洗濯物に繰り返し降り注ぎ、該洗濯物とすすぎ水との接触機会を増して、すすぎ効果を高める作用をなす。
【００５４】
このすすぎ運転中においても、底板５０ａの外面に設けられた突起５４は、回転ドラム３内で落下する洗濯物に摩擦接触し、該洗濯物に含まれるすすぎ水を絞り出す作用をなすから、すすぎ水の循環との相乗作用により、すすぎ効果を良好に高め、すすぎ運転の所要時間を短縮することができる。
【００５５】
前扉５に設ける突起５４は、以上の実施の形態に示す構成に限らず、種々の構成により設けることができる。図６〜図９は、突起５４の他の構成例を示す説明図であり、回転ドラム３の内側への扉本体５０の対向面における突起５４の形状及び配置を略示してある。
【００５６】
図６に示す突起５４は、扉本体５０の底板５０ａの外面に左右方向の中央が上となるように湾曲する円弧形の突条として形成してあり、中央部を所定幅に亘って切除し、左右両側に振り分け配置した構成となっている。このように設けられた突起５４は、図２〜図５に示す突起５４と同様、回転ドラム３内で落下する洗濯物に接触し、該洗濯物の汚れ落ちを促進する作用をなす。
【００５７】
回転ドラム３内で落下する洗濯物は、回転ドラム３の内周面に沿った速度成分を有するが、このように落下する洗濯物は、図６に示す突起５４に対し略直角をなすように接触するから、接触摩擦による汚れ落ちの促進効果を高め得ることが想定される。
【００５８】
図７に示す突起５４は、扉本体５０の底板５０ａの外面上で、中央部が下となるように傾斜し、波形に屈曲する突条として形成してあり、中央部を所定幅に亘って切除し、両側に振り分け配置した構成となっている。このように設けられた突起５４は、図２〜図６に示す突起５４と同様、回転ドラム３内で落下する洗濯物に接触し、該洗濯物の汚れ落ちを促進する作用をなす。図７に示す突起は、波形をなすから、回転ドラム３内で落下する洗濯物との接触による接触摩擦が大きくなり、汚れ落ちの促進効果を高め得ることが想定される。
【００５９】
図８に示す突起５４は、扉本体５０の底板５０ａの外面に、左右方向の中央が下となるように傾斜する直線状の突条とし、底板５０ａの外面全体に上下方向に５つ並べて配置してある。このように、洗濯物が接触することが想定される底板５０ａの全面突起５４を設けることにより、これらの突起５４と洗濯物との接触機会が増加し、汚れ落ちの促進効果を一層高めることができる。図２〜図７に示す形状を有する突起５４を、図８と同様に、扉本体５０の底板５０ａ全面に設けてもよい。また上下方向の並設数は、底板５０ａの範囲内で適宜に設定することができる。
【００６０】
図６〜図８に示す突起５４は、図２〜図５に示す突起５４と同様の断面形状とすることにより、洗濯物の引っ掛かり、損傷を防止することが可能となる。また図３〜図８に示す突起５４は、左右方向に対称をなして配置してあるが、非対称の配置としてもよいことはいうまでもない。更に、底板５０ａの外面に設ける突起５４は、夫々が同様の形状をなす必要はなく、図３〜図８に示す形状をなす突起を適宜に混在させてもよい。
【００６１】
図９に示す突起５４は、扉本体５０の底板５０ａの外面の全体に分散配置された半球状の突起として構成されている。この実施の形態においても、突起５４と洗濯物との接触機会が増加し、汚れ落ちの促進効果を高めることができる。突起５４は、頂部を面取りした円錐台形状、円柱形状であってもよい。
【００６３】
また実施の形態においては、前扉５に設けた突起５４を抵抗付加部としてあるが、例えば、突起５４と同様の形態で前扉５に凹部を設け、該凹部を抵抗付加部とする等、前扉５に設ける抵抗付加部は、洗濯物に摩擦抵抗を付加することが可能な適宜の構成により実現することが可能である。図１０及び図１１は、前扉５に設ける抵抗付加部の他の構成例を示す説明図である。
【００６４】
図１０においては、扉本体５０の底板５０ａに、微細な凹凸を全面に有する凹凸加工部５５を形成し、この凹凸加工部５５を抵抗付加部としている。図１０中には、凹凸加工部５５の形成範囲を網掛けして示してあり、この凹凸加工部５５は、回転ドラム３の内部に対向する底板５０ａの外面の略全面に形成してある。
【００６５】
以上のような凹凸加工部５５は、研磨性を有する微小粒子を底板５０ａに吹き付けるブラスト処理によって簡便に形成することができる。また凹凸加工部５５は、研磨、切削、コテ当て等のブラスト処理以外の物理的な処理によって形成してもよい。
【００６６】
また凹凸加工部５５は、化学的な処理によって形成することもできる。化学的な処理としては、例えば、弗化水素酸、弗素化合物、酸等の腐食物質を用い、底板５０ａの表面を不均一に腐食させる処理がある。更に凹凸加工部５５は、予め表面が凹凸加工された樹脂製のシートを底板５０ａに貼着することにより、底板５０ａ自体を加工せずに形成することも可能である。また、扉本体５０の成形に際し、底板５０ａの対応部分に微細な凹凸が設けられた金型を使用し、扉本体５０の成形と同時に凹凸加工部５５が形成されるようにしてもよい。なお、凹凸加工部５５における凹凸加工の粗さは、適宜に選択することができる。
【００６７】
以上の如く凹凸加工部５５が設けられた扉本体５０の底板５０ａは、所謂、洗濯板としての作用をなし、回転ドラム３内の洗濯物は、回転ドラム３の回転による持ち上げ、落下の過程で凹凸加工部５５に繰り返し接触し、夫々の接触機会での汚れの絞り出しが行われる結果、洗い運転における洗濯物の汚れ落ちは良好となる。
【００６８】
図１１においては、扉本体５０の底板５０ａに、微細な凹凸を表面に有する凹凸突起５６を複数設け、これらの凹凸突起５６を抵抗付加部としている。図１１に示す凹凸突起５６は、図８に示す突起５４と同様、扉本体５０の底板５０ａの外面に、左右方向の中央が下となるように傾斜する直線状の突条として形成され、底板５０ａの外面全体に上下方向に３つ並べて配置してある。
【００６９】
凹凸突起５６の表面の凹凸は、図１１中に網掛けして示すように、各凹凸突起５６の全面に形成してある。この凹凸は、前述した凹凸加工部５５と同様、物理的処理又は化学的処理により形成することができ、また凹凸加工された樹脂製のシートの貼着により形成することもできる。
【００７０】
以上の如く凹凸突起５６が設けられた扉本体５０の底板５０ａは、所謂、洗濯板としての作用をなし、回転ドラム３内の洗濯物は、回転ドラム３の回転による持ち上げ、落下の過程で凹凸突起５６に繰り返し接触し、夫々の接触機会での汚れの絞り出しが行われる結果、洗い運転における洗濯物の汚れ落ちは良好となる。凹凸突起５６の表面には、微細な凹凸が形成されており、これらの凹凸は、接触する洗濯物に加わる摩擦抵抗を増すように作用するから、洗濯物の汚れ落ちは一層良好となる。
【００７１】
凹凸突起５６は、図１１に示す形状、配置に限らず、図３〜図９に示す突起５４と同様の形状、配置、更にはこれらとも異なる形状、配置とすることができる。また、凹凸突起５６の表面の凹凸は、図１１に示すように各凹凸突起５６の全面に形成するのではなく、表面の一部に形成してもよい。
【００７２】
なお以上の実施の形態においては、洗濯槽２及び回転ドラム３が、水平面に対して傾いた斜め横姿勢に支持された洗濯機、所謂、斜めドラム式の洗濯機について説明したが、本発明は、洗濯槽２及び回転ドラム３が横姿勢に支持された洗濯機、所謂、横ドラム式の洗濯機にも適用可能であり、同様の効果が得られる。
【００７３】
更に、斜めドラム式の洗濯機及び横ドラム式の洗濯機は、乾燥機としての機能を併せ持つ洗濯乾燥機として構成されるのが一般的であるが、この種の洗濯乾燥機においても本発明の適用が可能であることは言うまでもない。
【符号の説明】
【００７４】
１    外筐
２    洗濯槽
３    回転ドラム
５    前扉（扉）
１０  投入口
２０  開口部
３０  開口部
５０  扉本体
５４  突起（抵抗付加部）
５５  凹凸加工部（抵抗付加部）
５６  凹凸突起（抵抗付加部）
【図１】
0005383878.tif 000002
【図２】
0005383878.tif 000003
【図３】
0005383878.tif 000004
【図４】
0005383878.tif 000005
【図５】
0005383878.tif 000006
【図６】
0005383878.tif 000007
【図７】
0005383878.tif 000008
【図８】
0005383878.tif 000009
【図９】
0005383878.tif 000010
【図１０】
0005383878.tif 000011
【図１１】
0005383878.tif 000012